(57)【要約】【課題】施工性の高い杭式桟橋を低コストで実現する。【解決手段】継杭式桟橋１は、海底地盤Ｇ上に突出した鋼管杭１１０と、鋼管杭１１０の上杭として鋼管杭１１０に接合されたコンクリート杭１３０とを有する複数の継杭１００と、複数の継杭１００に支持される上部工２００と、上部工２００の底面側に突出するように設けられて継杭１００の頭部を覆う鋼管２１０を備える。継杭式桟橋１の施工方法は、海底地盤Ｇに複数の鋼管杭１１０を打ち込む工程と、複数の鋼管杭１１０の各々に上杭としてコンクリート杭１３０を接合し複数の継杭１００を形成する工程と、複数の継杭１００に支持される上部工２００を設置する工程とを備える。【選択図】図１
2018123633.tif 000002
【特許請求の範囲】
【請求項１】
海底地盤上に突出した鋼管杭と、前記鋼管杭の上杭として前記鋼管杭に接合されたコンクリート杭とを有する複数の継杭と、
前記複数の継杭に支持される上部工と
を備える継杭式桟橋。
【請求項２】
前記継杭の頭部を覆う鋼管を備える
請求項１に記載の継杭式桟橋。
【請求項３】
前記コンクリート杭の頭部は拡径されている
請求項１に記載の継杭式桟橋。
【請求項４】
前記鋼管杭の頭部における内径は前記コンクリート杭の前記鋼管杭に接合される部分の外径よりも大きく、前記鋼管杭の中に前記コンクリート杭の一部が挿入されている
請求項１乃至３のいずれか１項に記載の継杭式桟橋。
【請求項５】
前記鋼管杭と前記鋼管杭に挿入されている前記コンクリート杭の一部は水中グラウト充填により接合されている
請求項４に記載の継杭式桟橋。
【請求項６】
前記鋼管杭と前記コンクリート杭は継手を用いて接合されている
請求項１乃至３のいずれか１項に記載の継杭式桟橋。
【請求項７】
海底地盤に複数の鋼管杭を打ち込む工程と、
前記複数の鋼管杭の各々に上杭としてコンクリート杭を接合する工程と、
前記コンクリート杭を接合する工程によって形成された複数の継杭に支持される上部工を設置する工程と
を備える継杭式桟橋の施工方法。
【請求項８】
前記上部工を設置する工程は、前記継杭の上にプレキャストコンクリートの梁部を設置する工程を含む
請求項７に記載の継杭式桟橋の施工方法。
【発明の詳細な説明】
【技術分野】
【０００１】
本発明は、杭式桟橋および杭式桟橋の施工方法に関する。
【背景技術】
【０００２】
特許文献１には、鋼管杭の上部に鋼管杭よりも曲げ耐力が大きいＳＣ杭を接合した基礎杭構造が記載されている。この基礎杭構造によれば、地震等における建物からの水平力、および地中部での地盤変位により発生する大きな荷重に対して、耐力が不足することを抑制することができる。
【先行技術文献】
【特許文献】
【０００３】
【特許文献１】特開２０１０−２４２４９８号公報
【発明の概要】
【発明が解決しようとする課題】
【０００４】
従来の杭式桟橋は、図２０に示すように、海底地盤Ｇに根入された複数の鋼管杭４００と、これら複数の鋼管杭４００により支持され、海面Ｓよりも上方に位置する上部工５００とを備える。鋼管杭は、ＰＨＣ杭等のコンクリート杭と比較して、海底地盤Ｇにハンマー打撃により杭を貫入することができるため、施工性の観点から優れている。その一方で、鋼管杭は一般的にコンクリート杭に比べて高価である。また、鋼管杭は海水に対する防食が必要であるため、一般的にメインテナンス費用もコンクリート杭と比較し高額となる。
【０００５】
本発明は、上述した背景の下になされたものであり、施工性の高い杭式桟橋を低コストで実現するための手段を提供する。
【課題を解決するための手段】
【０００６】
本発明は、海底地盤上に突出した鋼管杭と、前記鋼管杭の上杭として前記鋼管杭に接合されたコンクリート杭とを有する複数の継杭と、前記複数の継杭に支持される上部工とを備える継杭式桟橋を第１の態様として提案する。
【０００７】
本発明の第１の態様にかかる継杭式桟橋の施工において、海底地盤に対する鋼管杭の貫入はハンマー打撃により行うことができる。また、杭の全てに鋼管杭が用いられる杭式桟橋と比較し、本発明の第１の態様にかかる継杭式桟橋は杭の材料費が安価である上に、海水に対する防食を要する部分が杭のごく一部に限定されるため、メインテナンス費用も低額で済む。
【０００８】
本発明の第１の態様において、前記継杭の頭部を覆う鋼管を備える、という構成が第２の態様として採用されてもよい。
【０００９】
本発明の第２の態様によれば、杭において水平荷重による曲げモーメントが最も大きい杭頭部が鋼管により覆われるため、必要な強度を確保するために要する上杭（コンクリート杭）のスペックを低減できる。
【００１０】
本発明の第１の態様において、前記コンクリート杭の頭部は拡径されている、という構成が第３の態様として採用されてもよい。
【００１１】
本発明の第３の態様によれば、杭において水平荷重による曲げモーメントが最も大きい杭頭部の曲げ耐性が拡径により確保される。従って、上杭に拡径されないコンクリート杭が用いられる場合と比較し、必要な強度を確保するために要する上杭（杭頭部以外の部分）の杭径が小さくなる。
【００１２】
本発明の第１乃至第３のいずれかの態様において、前記鋼管杭の頭部における内径は前記コンクリート杭の前記鋼管杭に接合される部分の外径よりも大きく、前記鋼管杭の中に前記コンクリート杭の一部が挿入されている、という構成が第４の態様として採用されてもよい。
【００１３】
本発明の第４の態様によれば、海底地盤に貫入された鋼管杭の頭部の内側に上杭（コンクリート杭）の下端部を差し込むことでそれらの杭の接合が行われ、施工が容易である。
【００１４】
本発明の第４の態様において、前記鋼管杭と前記鋼管杭に挿入されている前記コンクリート杭の一部は水中グラウト充填により接合されている、という構成が第５の態様として採用されてもよい。
【００１５】
本発明の第５の態様によれば、鋼管杭とその上杭であるコンクリート杭の接合が容易に実現される。
【００１６】
本発明の第１乃至第３のいずれかの態様において、前記鋼管杭と前記コンクリート杭は継手を用いて接合されている、という構成が第６の態様として採用されてもよい。
【００１７】
本発明の第６の態様によれば、鋼管杭とその上杭であるコンクリート杭を溶接しなくとも接合することができる。
【００１８】
また、本発明は、海底地盤に複数の鋼管杭を打ち込む工程と、前記複数の鋼管杭の各々に上杭としてコンクリート杭を接合する工程と、前記コンクリート杭を接合する工程によって形成された複数の継杭に支持される上部工を設置する工程とを備える継杭式桟橋の施工方法を第７の態様として提案する。
【００１９】
本発明の第７の態様によれば、本発明の第１の態様にかかる継杭式桟橋が実現される。
【００２０】
本発明の第７の態様において、前記上部工を設置する工程は、前記継杭の上にプレキャストコンクリートの梁部を設置する工程を含む、という構成が第８の態様として採用されてもよい。
【００２１】
本発明の第８の態様によれば、継杭の上にコンクリートの現場打ちにより上部工の梁部を設置する場合と比較し、施工が容易である。
【発明の効果】
【００２２】
本発明によれば、施工性の高い杭式桟橋が低コストで実現される。
【図面の簡単な説明】
【００２３】
【図１】第１実施形態にかかる継杭式桟橋を水平方向に見た模式図。
【図２】第１実施形態にかかる継杭式桟橋の施工方法を示すフローチャート。
【図３】第１実施形態にかかる打ち込み工程を説明する図。
【図４】第１実施形態にかかる打ち込み工程を説明する図。
【図５】第１実施形態にかかる鋼管杭を上から見た図。
【図６】第１実施形態にかかる接合工程を説明する図。
【図７】第１実施形態にかかる鋼管杭およびコンクリート杭を上から見た図。
【図８】第１実施形態にかかる鋼管杭とコンクリート杭の接合部を示した図。
【図９】第１実施形態にかかる設置工程を説明する図。
【図１０】第１実施形態にかかる設置工程を説明する図。
【図１１】第１実施形態にかかる設置工程を説明する図。
【図１２】第２実施形態にかかる継杭式桟橋を水平方向に見た模式図。
【図１３】第２実施形態にかかる設置工程を説明する図。
【図１４】第２実施形態にかかる設置工程を説明する図。
【図１５】第２実施形態にかかる設置工程を説明する図。
【図１６】第２実施形態にかかる設置工程を説明する図。
【図１７】一変形例にかかる鋼管杭およびコンクリート杭の接合部付近を正面から見た図。
【図１８】一変形例にかかる鋼管杭およびコンクリート杭を上から見た図。
【図１９】一変形例にかかる鋼管杭とコンクリート杭の接合部を示した図。
【図２０】従来の杭式桟橋を水平方向に見た模式図。
【発明を実施するための形態】
【００２４】
以下、図面を参照して本発明の実施形態を説明する。
【００２５】
［第１実施形態］
図１は、本実施形態にかかる継杭式桟橋１を水平方向に見た模式図である。継杭式桟橋１は、杭基礎を構成する複数の継杭１００と、複数の継杭１００に支持される上部工２００とを備える。
【００２６】
複数の継杭１００は各々、鋼管杭１１０とコンクリート杭１３０を備える。鋼管杭１１０は、杭頭部が海底地盤Ｇ上に突出しており、杭頭部以外の部分は海底地盤Ｇに貫入されている。図１の例では、継杭１００は全て、杭軸方向が鉛直方向に沿うように設置されているが、継杭１００の少なくとも一部が、それらの杭軸方向が鉛直方向に対し傾いた方向となるように設置されていてもよい。
【００２７】
鋼管杭１１０は、例えば、ＪＩＳ  Ａ５５２５に記載の規格に従っている。コンクリート杭１３０は、鋼管杭１１０の上杭として鋼管杭１１０に接合されている。コンクリート杭１３０は、例えばＰＨＣ坑であるが、ＰＲＣ杭、ＳＴ杭、ＳＣ杭その他のコンクリート杭であってもよい。コンクリート杭１３０は、例えば、ＪＩＳ  Ａ５３７３に記載の規格に従っている。
【００２８】
上部工２００は、複数の継杭１００の上に設置されている。上部工２００は、海面Ｓよりも上に位置する。上部工２００は、梁部２２０と、梁部２２０の底面側に突出するように設けられた複数の鋼管２１０と、梁部２２０の上に配置された床版２３０を備える。複数の鋼管２１０は各々、鞘管として複数の継杭１００のいずれかの頭部に被せられる。
【００２９】
次に、継杭式桟橋１の施工方法を説明する。図２は、継杭式桟橋１の施工方法を示すフローチャートである。継杭式桟橋１の施工方法は、打ち込み工程と、接合工程と、設置工程の３つに大別される。
【００３０】
＜打ち込み工程＞
打ち込み工程は、複数の鋼管杭１１０を海底地盤Ｇに打ち込む工程である。図３は、打ち込み工程を説明する図である。図３には、左から順に、建て込み済み、打ち込み中、打ち込み済みの３つの状態の鋼管杭１１０が示されている。
【００３１】
打ち込み工程においては、まず、クレーン（図示略）により鋼管杭１１０を海中に吊り込み、下端が海底地盤Ｇの所定位置の上に接するように鋼管杭１１０を設置（建て込み）する（図３の左側の図）。続いて、建て込み済みの鋼管杭１１０の頭部の上にヤットコ３００を設置し、ヤットコ３００の頭部を杭打機（図示略）で下方に打撃する。ヤットコ３００を介した杭打機の打撃力により、鋼管杭１１０は海底地盤Ｇ内へと打ち込まれる（図３の中央の図）。鋼管杭１１０の杭頭位置が設計された所定の高さに達すると、杭打機による打撃が終了され、ヤットコ３００を鋼管杭１１０の上から取り除かれ、打ち込み工程が完了する（図３の右側の図）。なお、図示は省略するが、鋼管杭を打ち込む際には導材（定規材）を設置することが一般的である。
【００３２】
上記の打ち込み工程は、複数の鋼管杭１１０の各々に関し行われる。その結果、図４に示すように、大部分が海底地盤Ｇ内に貫入された高さの揃った複数の鋼管杭１１０の杭頭が海底地盤Ｇから上に突出した状態となる。
【００３３】
打ち込み工程が完了した状態の鋼管杭１１０は、その大部分が海底地盤Ｇ内に貫入されており、海水に接する部分は杭頭部およびその近傍の部分に限られている。従って、鋼管杭１１０の全てが防食される必要はなく、必要に応じて海水に接する限られた部分のみが防食されればよい。
【００３４】
＜接合工程＞
接合工程は、鋼管杭１１０の上杭としてコンクリート杭１３０を鋼管杭１１０に接合して継杭１００を形成する工程である。
【００３５】
接合工程において、まず、クレーンにより海中に吊り込まれたコンクリート杭１３０の下端部が鋼管杭１１０の頭部の内側に挿入される。そのため、鋼管杭１１０は、頭部における内径がコンクリート杭１３０の下端部（鋼管杭１１０に接合される部分）における外径よりも大きいものが用いられる。
【００３６】
上記のように、鋼管杭１１０の頭部における内径が、コンクリート杭１３０の下端部における外径よりも大きいため、鋼管杭１１０の内側にコンクリート杭１３０が必要以上に落ち込まないように、鋼管杭１１０の頭部付近の内周面にはストッパとして機能する支持部材１２０が設けられている。
【００３７】
図５は、鋼管杭１１０を図４の矢印Ｘ1の方向に見た図である。支持部材１２０は、複数の固定部材１２１と、複数の固定部材１２１の上に設けられた充填剤の漏れ止め部材１２２を備える。複数の固定部材１２１は各々、鋼管杭１１０の内周面に、例えば溶接より、固定されている。図５に示される例では、８つの固定部材１２１がほぼ等しい角度を空けて配置されているが、固定部材１２１の個数やそれらの間隔はこれに限られない。
【００３８】
漏れ止め部材１２２は、中央に円形の孔が空けられた円形の板状部材である。漏れ止め部材１２２の中央の孔の直径は、コンクリート杭１３０の外径よりも小さい。漏れ止め部材１２２は、外周が鋼管杭１１０の内周面と接する状態で複数の固定部材１２１の上に固定されている。
【００３９】
図６は、複数の鋼管杭１１０の各々の上に、コンクリート杭１３０が設置された状態を示している。すなわち、図４の状態の鋼管杭１１０の頭部の内側に、クレーンにより海中に吊り込んだコンクリート杭１３０の下端部が挿入されると、コンクリート杭１３０は下端部が支持部材１２０の上に接した状態で鋼管杭１１０に下方から支持された状態となる。
【００４０】
図７は、鋼管杭１１０およびコンクリート杭１３０を図６の矢印Ｘ2の方向に見た図である。鋼管杭１１０の内周面とコンクリート杭１３０の外周面の間に生じる隙間の底面は漏れ止め部材１２２により塞がれた状態となる。
【００４１】
接合工程において、鋼管杭１１０の上にコンクリート杭１３０が設置されると、続いて、鋼管杭１１０とコンクリート杭１３０の水中グラウト接合が行われる。具体的には、鋼管杭１１０の内周面とコンクリート杭１３０の外周面の間に生じる隙間にグラウト材の充填が行われる。グラウト材としては、例えば、水中硬化型の無収縮モルタルが用いられる。隙間に充填されたグラウト材は硬化し、鋼管杭１１０とコンクリート杭１３０を固着する。
【００４２】
図８は、水中グラウト接合が完了した状態の鋼管杭１１０とコンクリート杭１３０の接合部を示した図である。グラウト材１４０により固着された鋼管杭１１０とコンクリート杭１３０は継杭１００を形成する。
【００４３】
＜設置工程＞
設置工程は、複数の継杭１００の上部に上部工２００を設置する工程である。図９〜図１１は、設置工程を説明する図である。
【００４４】
設置工程において、まず、継杭１００の各々の上に梁部アセンブリ２０１が１つずつ設置される。図９に示されるように、梁部アセンブリ２０１は、底面側に突出するように設けられた鋼管２１０を備える。梁部アセンブリ２０１はプレキャストコンクリートのブロックである。鋼管２１０は梁部アセンブリ２０１の底面の概ね中央において下方に突出する状態で梁部アセンブリ２０１に固着されている。なお、鋼管２１０が梁部アセンブリ２０１の底面から下方に突出しない構成が採用されてもよい。
【００４５】
鋼管２１０の内径はコンクリート杭１３０の頭部の外径より大きい。従って、クレーンで吊った梁部アセンブリ２０１の鋼管２１０の位置をコンクリート杭１３０の頭部の位置に合わせて、梁部アセンブリ２０１を下ろしていくと、コンクリート杭１３０の頭部に鋼管２１０が被さった状態で、梁部アセンブリ２０１がコンクリート杭１３０の上に載った状態となる。
【００４６】
複数のコンクリート杭１３０の各々の上に梁部アセンブリ２０１が配置された後、コンクリート杭１３０と鋼管２１０のグラウト接合が行われる。その後、例えばコンクリートの打設により、隣り合う梁部アセンブリ２０１の連結が行われる。図１０は、隣り合う梁部アセンブリ２０１が連結された状態を示した図である。図１０において、隣り合う梁部アセンブリ２０１を連結するために打設されたコンクリートはコンクリート２２４として示されている。このようにして複数の梁部アセンブリ２０１を含む梁部２２０が構成される。
【００４７】
続いて、梁部２２０の上に床版２３０が設置される。図１１は、床版２３０の設置が完了した状態を示している。床版２３０の設置により設置工程が完了する。また、設置工程の完了により、継杭式桟橋１の施工が完了する。
【００４８】
上述した継杭式桟橋１の杭基礎のうち海底地盤Ｇに貫入される部分には鋼管杭が用いられる。従って、海底地盤Ｇへの打ち込みにより杭の貫入が可能である。また、上述した継杭式桟橋１の杭基礎のうち海水中の大部分と干満帯および飛沫帯の部分にはコンクリート杭が用いられる。従って、杭基礎のうち防食を要する部分がごく限られている。
【００４９】
また、上述した継杭式桟橋１の杭頭部（継杭１００の頭部）は鋼管により覆われている。杭において杭頭部は水平荷重による曲げモーメントが最大となるが、同径の鋼管杭と比較して曲げ耐性に劣るコンクリート杭の頭部が鋼管により補強される。従って、必要な強度を確保するために要するコンクリート杭１３０の直径が小さくて済む場合が多い。
【００５０】
また、上述した継杭式桟橋１の杭基礎のうち海水中の大部分にはコンクリート杭が用いられる。コンクリート杭は同程度の直径の鋼管杭と比較して一般的に水平方向の変位量が少ない。従って、鋼管杭のみの杭基礎を備える桟橋と比較して、継杭式桟橋１は水平変位が抑えられる点で優れている。
【００５１】
［第２実施形態］
以下に第２実施形態にかかる継杭式桟橋１Ａを説明する。継杭式桟橋１Ａは、杭基礎と上部工の連結部分の構成が上述した第１実施形態にかかる継杭式桟橋１と異なっている。継杭式桟橋１Ａは多くの点で継杭式桟橋１と共通または類似している。従って、以下の説明において、継杭式桟橋１Ａが継杭式桟橋１と共通して備える構成部には、継杭式桟橋１の説明において用いた符号と同じ符号を用いる。また、継杭式桟橋１Ａが備える構成部のうち継杭式桟橋１が備える構成部に対応するものには、対応する継杭式桟橋１の構成部に用いた符号の末尾に「Ａ」を付したものを用いる。
【００５２】
図１２は、継杭式桟橋１Ａを水平方向に見た模式図である。継杭式桟橋１Ａは、杭基礎を構成する複数の継杭１００Ａと、複数の継杭１００Ａに支持される上部工２００Ａを備える。複数の継杭１００Ａの各々は、海底地盤Ｇから突出した鋼管杭１１０と、鋼管杭１１０の上杭として鋼管杭１１０に接合されたコンクリート杭１３０Ａとを含む。上部工２００Ａは、梁部２２０Ａと床版２３０を備える。
【００５３】
図１３〜図１６は、設置工程（杭基礎の上に上部工２００Ａを設置する工程）を説明する図である。図１３は、海底地盤Ｇに打ち込まれた複数の鋼管杭１１０の各々の上にコンクリート杭１３０Ａが配置され、水中グラウト接合により鋼管杭１１０とコンクリート杭１３０Ａの固着が完了した状態を示している。図１３に示されるように、コンクリート杭１３０Ａは他の部分よりも拡径された頭部１３１を有する。即ち、頭部１３１の外径は、コンクリート杭１３０Ａの頭部１３１以外の部分の外径よりも大きい。
【００５４】
図１４に示されるように、梁部２２０Ａはプレキャストコンクリートブロックで作られた複数の梁部アセンブリ２０１Ａを含む。梁部アセンブリ２０１Ａは、その中央に上下方向に貫通するように空けられた孔２２５の内側を水平方向に橋渡しするように配置されたバー２２６を備える。バー２２６は、例えばＨ鋼である。孔２２５の直径は、コンクリート杭１３０Ａの頭部１３１の外径より大きい。なお、梁部２２０Ａの構成は一例に過ぎず、他の構成であってもよい。
【００５５】
設置工程において、梁部アセンブリ２０１Ａは孔２２５と頭部１３１との位置合わせが行われた状態で下ろされる。その結果、孔２２５に頭部１３１が挿入された状態で頭部１３１の上面にバー２２６の下面が接し、バー２２６を介して梁部２２０Ａの梁部アセンブリ２０１Ａが継杭１００の上に載った状態となる。
【００５６】
続いて、頭部１３１と孔２２５のグラウト接合が行われる。その後、隣り合う梁部アセンブリ２０１Ａの連結が行われる。隣り合う梁部アセンブリ２０１Ａの連結の方法は、例えば継杭式桟橋１における場合と同様である。図１５は、隣り合う梁部アセンブリ２０１Ａが連結された状態を示している。その後、図１６に示されるように、梁部２２０Ａの上に床版２３０が設置される。これにより、継杭式桟橋１Ａの施工が完了する。
【００５７】
継杭式桟橋１Ａには、継杭式桟橋１において用いられる鋼管２１０は用いられない。すなわち、継杭式桟橋１Ａにおいて、コンクリート杭の頭部は鋼管により補強されることはない。しかしながら、継杭式桟橋１Ａにおいて用いられるコンクリート杭１３０Ａは拡径された頭部１３１を有するため、杭頭部において要求される曲げ耐性が確保されている。
【００５８】
なお、頭部１３１はコンクリート杭１３０Ａの頭部１３１以外の部分と一体成形されてもよいし、頭部が拡径されていないコンクリート杭の頭部を拡径部材で覆うことによって製造されてもよい。
【００５９】
［変形例］
本発明は、上述した実施形態と異なる形態で実施してもよい。また、以下に示す変形例は、各々を組み合わせてもよい。
コンクリート杭１３０は、杭軸方向において一定の間隔で節が形成されたコンクリート杭（例えば、節付きＰＨＣ杭）であってもよい。節が形成されていない場合に比べてコンクリート杭１３０とグラウト材１４０の接触面積が増し、これに伴い、鋼管杭１１０とコンクリート杭１３０との付着力も増して継杭全体としての強度が増すからである。
【００６０】
鋼管杭とコンクリート杭の接合は、グラウト接合以外の方法で行われてもよい。接合方法として、継手を用いた接合方法がある。図１７は、この変形例にかかる鋼管杭１１０、およびコンクリート杭１３０Ｂの境界部付近を正面から見た図である。図１８は、鋼管杭１１０とコンクリート杭１３０Ｂの接合部を示した図である。図１９は、鋼管杭１１０、およびコンクリート杭１３０Ｂを、図１８の矢印Ｘ3の方向に見た図である。
【００６１】
図１７および図１８に示すように、鋼管杭１１０とコンクリート杭１３０Ｂは、外径の大きさが同じである。また、図１８に示すように、鋼管杭１１０の頭部付近の内周面にはストッパとして機能する支持部材１２０Ｂが設けられている。支持部材１２０Ｂは、その外周面が鋼管杭１１０の内周面に固着された円筒状の部材である。支持部材１２０Ｂの上端の位置は鋼管杭１１０の上端の位置と揃えられている。接合工程では、コンクリート杭１３０Ｂが鋼管杭１１０の上に配置される。これにより、コンクリート杭１３０Ｂは、鋼管杭１１０、および支持部材１２０Ｂに下方から支持された状態となる。
【００６２】
接合工程では、次に、鋼管杭１１０とコンクリート杭１３０Ｂが継手１５０を用いて接合される。継手１５０は、第１部分１５１と第２部分１５２とを含む機械式継手である。第１部分１５１は、鋼管杭１１０とコンクリート杭１３０Ｂとの境界付近の部分の周囲のうちの一部分を覆う。第２部分１５２は、当該境界付近の部分の周囲のうちの残りの部分を覆う。第１部分１５１と第２部分１５２との両端部が、それぞれ複数のボルト１６０を用いて接合されている。
継手１５０を用いることで、鋼管杭とその上杭であるコンクリート杭を溶接しなくとも接合することができる。また、鋼管杭の内径を、コンクリート杭の外径よりも大きくしなくてもよい。なお、この変形例で説明した継手１５０の構成は一例に過ぎず、他の構成の継手が採用されてもよい。
【００６３】
なお、本願の発明は、上述した実施形態に限定されることなく、請求の範囲に記載した発明の範囲内で種々の変形が可能である。例えば、図示された継杭式桟橋１または継杭式桟橋１Ａの構成部の形状や個数等は一例であって、様々に変更されてよい。例えば、上述した第１実施形態において、複数の継杭１００の各々の上に１つずつ梁部アセンブリ２０１または２０１Ａが設置された後、隣り合う梁部アセンブリ２０１または２０１Ａの連結が行われる。これに代えて、複数の継杭１００の上に、複数の鋼管２１０が底面側に突出するように設けられた１つの梁部が設置されてもよい。
【符号の説明】
【００６４】
１，１Ａ…継杭式桟橋、１００，１００Ａ…継杭、１１０…鋼管杭、１２０，１２０Ｂ…支持部材、１２１…固定部材、１２２…漏れ止め部材、１３０，１３０Ａ，１３０Ｂ…コンクリート杭、１３１…頭部、１４０…グラウト材、１５０…継手、１５１…第１部分、１５２…第２部分、１６０…ボルト、２００，２００Ａ…上部工、２０１，２０１Ａ…梁部アセンブリ、２１０…鋼管、２２０，２２０Ａ…梁部、２２４…コンクリート、２２５…孔、２２６…バー、２３０…床版、３００…ヤットコ。
【図１】
2018123633.tif 000003
【図２】
2018123633.tif 000004
【図３】
2018123633.tif 000005
【図４】
2018123633.tif 000006
【図５】
2018123633.tif 000007
【図６】
2018123633.tif 000008
【図７】
2018123633.tif 000009
【図８】
2018123633.tif 000010
【図９】
2018123633.tif 000011
【図１０】
2018123633.tif 000012
【図１１】
2018123633.tif 000013
【図１２】
2018123633.tif 000014
【図１３】
2018123633.tif 000015
【図１４】
2018123633.tif 000016
【図１５】
2018123633.tif 000017
【図１６】
2018123633.tif 000018
【図１７】
2018123633.tif 000019
【図１８】
2018123633.tif 000020
【図１９】
2018123633.tif 000021
【図２０】
2018123633.tif 000022